【手続補正書】
【提出日】平成24年12月4日(2012.12.4)
【手続補正１】
【補正対象書類名】特許請求の範囲
【補正対象項目名】全文
【補正方法】変更
【補正の内容】
【特許請求の範囲】
【請求項１】
マルチウインドウ環境を実現するＯＳを搭載した第一の情報処理装置と、前記第一の情報処理装置との通信機能を備えた第二の情報処理装置と、を有する情報処理システムであって、
前記第一の情報処理装置は、
所定の引継イベントの発生有無を監視する対象として自装置に予め登録されているアプリケーションプログラムである監視対象アプリケーションプログラムおよび前記第二の情報処理装置へ実行中の処理を引継ぐ対象として自装置に予め登録されているアプリケーションプログラムである引継対象アプリケーションプログラムの実行中に、前記所定の引継イベントの発生有無を監視するイベント監視手段と、
前記イベント監視手段により前記所定の引継イベントが発生したものと判断された場合に、前記第二の情報処理装置に前記引継対象アプリケーションプログラムの引継要求を送信する引継要求手段と、を有し、
前記第二の情報処理装置は、
前記第一の情報処理装置から受信した前記引継要求に従い、前記引継対象アプリケーションプログラムのＧＵＩを表示して、当該ＧＵＩに対する操作を受け付ける引継処理手段を有する
ことを特徴とする情報処理システム。
【請求項２】
請求項１に記載の情報処理システムであって、
前記イベント監視手段は、
前記所定の引継イベントが発生した場合、所定の引継解消イベントの発生有無をさらに監視し、
前記引継要求手段は、
前記イベント監視手段により前記所定の引継解消イベントが発生したものと判断された場合に、前記第二の情報処理装置に、前記引継対象アプリケーションプログラムの引継解消要求を送信し、
前記引継処理手段は、
前記第一の情報処理装置から受信した前記引継解消要求に従い、前記引継対象アプリケーションプログラムのＧＵＩの表示および当該ＧＵＩに対する操作受付を停止する
ことを特徴とする情報処理システム。
【請求項３】
請求項２に記載の情報処理システムであって、
前記引継要求手段は、
前記引継要求を送信してから前記引継解消要求を送信するまでの間、前記引継対象アプリケーションプログラムのＧＵＩの映像情報を前記第二の情報処理装置に送信して、当該ＧＵＩに対する操作情報を前記第二の情報処理装置から受信し、
前記引継処理手段は、
前記引継要求を受信してから前記引継解消要求を受信するまでの間、前記第一の情報処理装置から前記映像情報を受信して、当該映像情報に従って前記引継対象アプリケーションプログラムのＧＵＩを表示するとともに、操作者から当該ＧＵＩに対する操作を受け付けて前記操作情報を前記第一の情報処理装置に送信する
ことを特徴とする情報処理システム。
【請求項４】
請求項２に記載の情報処理システムであって、
前記引継要求手段は、
前記イベント監視手段により前記所定の引継イベントが発生したものと判断された場合に、前記引継対象アプリケーションプログラムから作業状態情報を取得して当該引継対象アプリケーションプログラムを終了するとともに、前記作業状態情報を含む前記引継要求を前記第二の情報処理装置に送信し、
前記イベント監視手段により前記所定の引継解消イベントが発生したものと判断された場合に、前記第二の情報処理装置に前記引継解消要求を送信して、前記第二の情報処理装置から引継解消通知を受信するとともに、前記引継対象アプリケーションプログラムを起動して、当該引継解消通知に含まれている前記作業状態情報を当該引継対象アプリケーションプログラムに反映させ、
前記引継処理手段は、
前記第一の情報処理装置から前記引継要求を受信した場合に、前記引継対象アプリケーションプログラムを起動して、当該引継要求に含まれている前記作業状態情報を当該引継対象アプリケーションプログラムに反映させ、
前記第一の情報処理装置から前記引継解消要求を受信した場合に、前記引継対象アプリケーションプログラムから前記作業状態情報を取得して当該引継対象アプリケーションプログラムを終了するとともに、前記作業状態情報を含む前記引継解消通知を前記第一の情報処理装置に送信する
ことを特徴とする情報処理システム。
【請求項５】
請求項２ないし４のいずれか一項に記載の情報処理システムであって、
前記イベント監視手段は、
前記監視対象アプリケーションプログラムおよび前記引継対象アプリケーションプログラムの実行中に、前記監視対象アプリケーションプログラムのＧＵＩがアクティブウインドウである場合において、前記アクティブウインドウの画面占有率が所定値以上となった場合に前記所定の引継イベントが発生したものと判断し、
前記所定の引継イベントが発生した場合において、前記監視対象アプリケーションプログラムのＧＵＩの画面占有率が所定値未満となった場合、あるいは前記監視対象アプリケーションプログラムのＧＵＩがアクティブウインドウでなくなった場合に前記所定の引継解消イベントが発生したものと判断する
ことを特徴とする情報処理システム。
【請求項６】
請求項１ないし５のいずれか一項に記載の情報処理システムの構成要素として用いられる第一の情報処理装置。
【請求項７】
請求項１ないし５のいずれか一項に記載の情報処理システムの構成要素として用いられる第二の情報処理装置。
【請求項８】
マルチウインドウ環境を実現するＯＳを搭載したコンピュータで読取り可能なプログラムであって、
前記プログラムは、前記コンピュータを、
所定の引継イベントの発生有無を監視する対象に設定されているアプリケーションプログラムである監視対象アプリケーションプログラムおよび所定の相手端末へ実行中の処理を引継ぐ対象に設定されているアプリケーションプログラムである引継対象アプリケーションプログラムが実行中である場合に、前記所定の引継イベントの発生有無を監視するイベント監視手段、および
前記イベント監視手段により前記所定の引継イベントが発生したものと判断された場合に、前記引継対象アプリケーションプログラムの引継要求を前記所定の相手端末に送信する引継要求手段、として機能させる
ことを特徴とするコンピュータで読取り可能なプログラム。
【請求項９】
コンピュータで読取り可能なプログラムであって、
前記プログラムは、前記コンピュータを、
所定の相手端末から受信した引継要求に従い、当該相手端末で実行中もしくは実行していたアプリケーションプログラムである引継対象アプリケーションプログラムのＧＵＩを表示して、当該ＧＵＩに対する操作を受け付ける引継処理手段として機能させる
ことを特徴とするコンピュータで読取り可能なプログラム。
【請求項１０】
マルチウインドウ環境を実現するＯＳを搭載した第一の情報処理装置と、前記第一の情報処理装置との通信機能を備えた第二の情報処理装置と、を有する情報処理システムにおいて、前記一の情報処理装置で実行中の複数のアプリケーションプログラムに対する操作方法であって、
前記第一の情報処理装置が、
所定の引継イベントの発生有無を監視する対象として自装置に予め登録されているアプリケーションプログラムである監視対象アプリケーションプログラムおよび前記第二の情報処理装置へ実行中の処理を引継ぐ対象として自装置に予め登録されているアプリケーションプログラムである引継対象アプリケーションプログラムの実行中に、前記所定の引継イベントの発生有無を監視して、当該引継イベントが発生したものと判断した場合に、前記引継対象アプリケーションプログラムの引継要求を前記第二の情報処理装置に送信し、
前記第二の情報処理装置が、
前記第一の情報処理装置から受信した前記引継要求に従い、前記引継対象アプリケーションプログラムのＧＵＩを表示して、当該ＧＵＩに対する操作を受け付ける
ことを特徴とする複数のアプリケーションプログラムに対する操作方法。
【手続補正２】
【補正対象書類名】明細書
【補正対象項目名】００１１
【補正方法】変更
【補正の内容】
【００１１】
例えば、本発明は、マルチウインドウ環境を実現するＯＳを搭載した第一の情報処理装置と、前記第一の情報処理装置との通信機能を備えた第二の情報処理装置と、を有する情報処理システムであって、
前記第一の情報処理装置は、
所定の引継イベントの発生有無を監視する対象として自装置に予め登録されているアプリケーションプログラムである監視対象アプリケーションプログラムおよび前記第二の情報処理装置へ実行中の処理を引継ぐ対象として自装置に予め登録されているアプリケーションプログラムである引継対象アプリケーションプログラムの実行中に、前記所定の引継イベントの発生有無を監視するイベント監視手段と、
前記イベント監視手段により前記所定の引継イベントが発生したものと判断された場合に、前記第二の情報処理装置に前記引継対象アプリケーションプログラムの引継要求を送信する引継要求手段と、を有し、
前記第二の情報処理装置は、
前記第一の情報処理装置から受信した前記引継要求に従い、前記引継対象アプリケーションプログラムのＧＵＩを表示して、当該ＧＵＩに対する操作を受け付ける引継処理手段を有する。
【手続補正３】
【補正対象書類名】明細書
【補正対象項目名】００１２
【補正方法】変更
【補正の内容】
【００１２】
ここで、前記イベント監視手段は、前記所定の引継イベントが発生した場合、所定の引継解消イベントの発生有無をさらに監視し、
前記引継要求手段は、前記イベント監視手段により前記所定の引継解消イベントが発生したものと判断された場合に、前記第二の情報処理装置に、前記引継対象アプリケーションプログラムの引継解消要求を送信し、
前記引継処理手段は、前記第一の情報処理装置から受信した前記引継解消要求に従い、前記引継対象アプリケーションプログラムのＧＵＩの表示および当該ＧＵＩに対する操作受付を停止するものでもよい。